(57)【要約】【課題】  接近者を検出することができるセキュリティシステムにおいて、降雨の状況下であっても当該接近者の接近を窓ガラスを通して的確に検出することができ、安定した性能を発揮することができるセキュリティシステムを提供する。【解決手段】  本発明の車両用セキュリティシステムは、車両１に接近する接近者１０を検出するための人検出センサ２とは別に、ウィンドウガラス７に付着している雨滴１３を検出するためのレインセンサ６を備えている。そして、接近者の有無の判定を行なうセキュリティシステム制御部４は、レインセンサ６からの出力に基づいて、接近者の有無の判定を行なう際の判定基準又は判定方法の変更を行なう。【選択図】        図１
2005199846.tif 000002
【特許請求の範囲】
【請求項１】
窓ガラスを通して接近者を検出するための人検出センサと、
雨滴を検出するための雨滴検出センサと、
前記人検出センサの出力値に基づいて接近者の有無を判定する接近者判定手段と、
前記雨滴検出センサの出力値に基づいて雨滴の有無を判定する雨滴判定手段と、
を備えたセキュリティシステムであって、
前記接近者判定手段は、前記雨滴判定手段が雨滴ありと判定した場合には、接近者の有無の判定を行なう際の判定基準又は判定方法を変更すること、
を特徴とするセキュリティシステム。
【請求項２】
請求項１に記載のセキュリティシステムであって、
前記接近者判定手段は、判定基準として用いられる所定の閾値を記憶しており、
前記接近者判定手段は、前記人検出センサの出力値と前記閾値を比較することにより、接近者の有無に関する判定を行なっており、
前記接近者判定手段は、前記雨滴判定手段が雨滴ありと判定した場合には、前記閾値の変更を行なうこと、
を特徴とするセキュリティシステム。
【請求項３】
請求項１又は請求項２に記載のセキュリティシステムであって、
前記接近者判定手段は、前記窓ガラスに雨滴が付着した場合に前記人検出センサの出力値において特徴的に現われる当該雨滴を原因とするノイズを記憶しており、
前記接近者判定手段は、前記雨滴判定手段が雨滴ありと判定した場合には、前記人検出センサの出力値から前記ノイズを差し引いた上で、接近者の有無に関する判定を行うこと、
を特徴とするセキュリティシステム。
【請求項４】
請求項１乃至請求項３に記載のセキュリティシステムであって、
前記人検出センサは、赤外線を利用して前記接近者を検出する赤外線センサであること、
を特徴とするセキュリティシステム。
【請求項５】
請求項１乃至請求項３に記載のセキュリティシステムであって、
前記人検出センサは、カメラを利用したセンサであること、
を特徴とするセキュリティシステム。
【発明の詳細な説明】
【技術分野】
【０００１】
本発明は、車両への接近者の検出を行なうセキュリティシステムに関する。
【背景技術】
【０００２】
従来より、駐車中の車両に接近する不審者（以下「接近者」という）を車室内から検出するセンサ（以下「人検出センサ」という）にて検出し、警告音や警告光等を発することにより車両のセキュリティを確保しようとするシステムが提案されている。（例えば、特許文献１参照）。このような人検出センサは、車両の窓ガラスを通して車両に接近する人の存在や動きを検出している。具体的には、電磁波式の人検出センサを使用したセキュリティシステムの場合、車室内に設置された人検出センサから窓ガラスを通して車両周辺に高周波の電磁波を輻射し、人が動いたときに生じる電磁波の低周波擾乱成分を検出して、当該低周波擾乱成分が一定レベルを越えたときに接近者が存在していると判断する。
【０００３】
ここで、上記のセキュリティシステムが起動している状態（以下「アームモード」という）において、雨が降った場合には、窓ガラスに付着した雨滴の存在や雨滴の移動・振動（風による振動）により人検出センサの出力値にノイズ（電磁波の反射・散乱によるバックグラウンドノイズ）が混入してしまい、これによりセキュリティシステムが誤検出を起こし、不必要な警告音を発してしまうことがある。
【０００４】
このため、従来のセキュリティシステムでは、人検出センサの感度を常時落とした設定としておくことで雨滴の有無が検出結果に影響を及ぼさない設定としておくか、又は人検出センサが出力する値の中から雨滴の影響によるものであると推定される不確実な情報（ノイズ）を拾い出すことにより雨滴の有無を判断し、これに基づいて人検出センサの感度調整を随時行うこととしている。
【特許文献１】特開平５−１６７６４号公報
【発明の開示】
【発明が解決しようとする課題】
【０００５】
しかし、窓ガラスに付着した雨滴の有無が検出結果に影響を及ぼさない程度にまで人検出センサの感度を落としてしまうと、接近者の検出範囲が狭くなり、結果として車両用セキュリティシステムの性能が低くなってしまう。
【０００６】
また、人検出センサの出力値の中から雨滴の影響によるものであると推定されるノイズを拾い出して雨滴の有無を判定する場合には、不確実な情報に基づいて人検出センサの感度調整を行なうため、セキュリティシステムの性能が安定しないという問題点があった。
【０００７】
本発明は、このような問題に鑑みてなされたものであり、窓ガラスを通して接近者を的確に検出することができるセキュリティシステムであって、降雨の状況下であっても安定した性能を発揮するセキュリティシステムを提供することを目的とする。
【課題を解決するための手段】
【０００８】
上記目的を達成するためになされた請求項１に記載のセキュリティシステムは、窓ガラスを通して接近者を検出するための人検出センサと、当該人検出センサとは別のセンサであって雨滴を検出するための雨滴検出センサと、人検出センサの出力値に基づいて接近者の有無を判定する接近者判定手段と、雨滴検出センサの出力値に基づいて雨滴の有無を判定する雨滴判定手段とを備えている。
【０００９】
そして、接近者判定手段は、雨滴判定手段が雨滴ありと判定した場合には、接近者の有無の判定を行なう際の判定基準又は判定方法の変更を行なう。
【００１０】
従って、請求項１のセキュリティシステムは、雨滴判定手段の判定に雨滴検出センサの出力値を用いることで雨滴の有無に関する確実な判定を行なうことができ、この確実な判定に基づいて人検出センサの出力値中の雨滴の影響を考慮しているので、接近者判定手段が接近者の有無に関する確実な判定を行なうことができる。
【００１１】
次に、請求項２に記載のセキュリティシステムは、請求項１に記載のセキュリティシステムであって、接近者判定手段は、接近者の有無に関する判定に用いる判定基準として所定の閾値を記憶していて、人検出センサの出力値と当該閾値を比較することにより接近者の有無の判定を行う。つまり、接近者判定手段は、人検出センサの出力値が当該閾値を越えた場合に接近者が存在していると判定する。
【００１２】
そして、接近者判定手段は、雨滴判定手段が雨滴検出センサの出力値に基づいて雨滴ありと判定した場合には、当該閾値の変更を行なう。これは、窓ガラスに雨滴が付着してしまうと、当該窓ガラスを通して接近者の有無を検出している人検出センサの出力値に雨滴を原因とするノイズが混入し、当該出力値のＳ／Ｎ比が低下するためであり、この場合には閾値を上げることによって、接近者判定手段が接近者の有無に関して誤った判定を行なうことを防止することができる。
【００１３】
次に、請求項３に記載のセキュリティシステムは、請求項１又は請求項２に記載のセキュリティシステムにおいて、接近者判定手段は、窓ガラスに雨滴が付着している場合に人検出センサの出力値に特徴的に現われる当該雨滴を原因とするノイズを記憶している。
【００１４】
そして、接近者判定手段は、雨滴判定手段が雨滴ありと判定した場合には、人検出センサの出力値の補正を行なうために当該出力値から前記ノイズを差し引いた上で、接近者の有無に関する判定を行なう。これは、窓ガラスに雨滴が付着している状態においては、当該窓ガラスを通して接近者の有無を検出している人検出センサが出力する信号には、当該雨滴に特有のノイズが混入するためであり、この特有のノイズ成分を出力値から差し引くことにより、接近者判定手段が接近者の有無に関して誤った判定を行なうことを防止することができる。
【発明を実施するための最良の形態】
【００１５】
次に、本発明を実施するにあたり最良の形態となり得る請求項４及び請求項５のセキュリティシステムについて説明する。
【００１６】
請求項４に記載のセキュリティシステムは、請求項１乃至請求項３に記載のセキュリティシステムであって、人検出センサが赤外線を利用して接近者を検出する赤外線センサであることを特徴としている。
【００１７】
これは、物体の接近を検出する装置として赤外線センサが広く用いられているため、安価で高性能な赤外線センサの入手が容易であるからである。
【００１８】
次に、請求項５に記載のセキュリティシステムは、請求項１乃至請求項３に記載のセキュリティシステムであって、人検出センサがカメラを利用したセンサであることを特徴としている。
【００１９】
従って、請求項５に記載のセキュリティシステムにおいては、当該カメラが撮影した映像に対して所定の画像処理を行なうことにより接近者を検出することとなる。
【００２０】
このように、人検出センサとしてカメラを利用したセンサを採用した場合には、撮影した接近者の映像情報を記録することが容易となるため、より利便性の高いセキュリティシステムとなり得る。
【実施例１】
【００２１】
以下、本発明の実施例を説明する。尚、本発明の実施形態は、以下の実施例に何ら限定されることはなく、本発明の技術的範囲に属する限り種々の形態を採り得ることは言うまでもない。
【００２２】
図１は、本発明の車両用セキュリティシステムの構成を表した図である。車両１に搭載された当該セキュリティシステムは、ウィンドウガラス７に付着している雨滴１３の有無及びその量を検出するレインセンサ６と、ウィンドウガラス７を通して電磁波により車外（車両１から数ｍ以内）の接近者１０を検出する人検出センサ２と、レインセンサ６及び人検出センサ２を駆動するためのセンサ制御部３と、警告信号発生器８（例えばハザードランプ）と、警告信号発生器８を制御する警報制御部５と、レインセンサ６及び人検出センサ２の出力値に基づき雨滴１３の有無と接近者１０の有無を判定するセキュリティシステム制御部４とを備えている。
【００２３】
ここで、レインセンサ６は、車両１の走行時において、ウィンドウガラス７に付着した雨滴１３の量に応じて車両１のワイパー（図示省略）を自動的に駆動制御し、ドライバーの視界を確保することができる自動ワイパー制御装置（図示省略）のレインセンサとしても使用されている。このように、近年の車両においては、ワイパーの自動駆動制御等を行うためのレインセンサが既に搭載されており、セキュリティシステム用に新たにレインセンサを追加搭載する必要は無い。
【００２４】
また、セキュリティシステム制御部４は、メモリ部１１を備えている。当該メモリ部１１には、上述の接近者１０の有無に関する判定を行なう際に用いられるセンサ受信信号強度に関する所定の閾値と、当該閾値を変更する場合に使用する閾値の演算方法が記録されている。この演算によって求められる閾値は、雨滴の量に応じて変化する値となっている。これは、人検出センサ２が発した電磁波のうち雨滴の存在が原因となって散乱又は反射してしまう電磁波の割合が、雨滴の量に応じて変化するためである。
【００２５】
次に、本発明の車両用セキュリティシステムがアームモードとなっているときにセキュリティシステム制御部４が実行する処理について、図２のフローチャートを用いて説明する。
【００２６】
まず、レインセンサ６からの出力を受信すると（Ｓ１００：Ｙｅｓ）、セキュリティシステム制御部４は、当該出力値に基づいてウィンドウガラス７に雨滴が付着しているかどうかを判定する（Ｓ１１０）。
【００２７】
上記判定において、雨滴ありと判定した場合には（Ｓ１１０：Ｙｅｓ）、セキュリティシステム制御部４は、レインセンサ６が検出した雨滴の量とメモリ部１１に記録された演算方法に基づいて閾値を計算する（Ｓ１２０）。ここで、当該演算方法は車両１の車種によって決定されており、具体的には、セキュリティシステム制御部４は、レインセンサ６が検出した雨滴の量の多さを数段階に分け、夫々の段階に応じた閾値を算出する。
【００２８】
次に、セキュリティシステム制御部４は、人検出センサ２からの出力を受信すると（Ｓ１３０：Ｙｅｓ）、上記の演算により求められた閾値を用いて当該出力値に基づいて車両１付近に接近者１０が存在するかどうかを判定する（Ｓ１４０）。尚、本判定において、Ｓ１１０で雨滴なしと判定している場合には（Ｓ１１０：Ｎｏ）、セキュリティシステム制御部４は、メモリ部１１に記録されている閾値を使用する。
【００２９】
そして、上記の判定において接近者ありと判定した場合には（Ｓ１４０：Ｙｅｓ）、セキュリティシステム制御部４は、警報制御部５に対して、警告信号発生器８より警告信号（例えばハザードランプの点滅）を発生させるよう命令信号を出力する（Ｓ１５０）。この命令信号を受信した警報制御部５は、警告信号発生器８より適宜警告信号を発生させる。
【００３０】
これにより、本車両用セキュリティシステムは、降雨の状況下であっても接近者１０の接近を確実に検出した上で、警告信号発生器８より警告信号を発生させ、当該接近者１０に対する警告を行なうことができる。
【実施例２】
【００３１】
次に、図１に示した構成と同じ構成を有する車両用セキュリティシステムではあるが、セキュリティシステム制御部４が上記とは異なる処理を実行することにより接近者の有無に関する判定を行なうものについて以下に説明する。尚、システム構成は図１と同じであるので、セキュリティシステム制御部４の実行する処理についてのみを図３のフローチャートを用いて説明する。
【００３２】
以下の実施例２の車両用セキュリティシステムにおいては、メモリ部１１には、人検出センサ２が発した電磁波が雨滴に照射された場合に、当該人検出センサ２の出力値においてノイズとして発生し得る周波数成分が記録されている。さらにメモリ部１１には、センサ受信信号強度に関する所定の閾値が記録されている。
【００３３】
まず、セキュリティシステム制御部４が人検出センサ２からの出力を受信し（Ｓ３００：Ｙｅｓ）、レインセンサ６からの出力を受信した場合（Ｓ３１０：Ｙｅｓ）、セキュリティシステム制御部４は、レインセンサ６の出力値に基づきウィンドウガラス７に雨滴が付着しているかどうかを判定する（Ｓ３２０）。
【００３４】
そして、上記判定において雨滴ありと判定した場合には（Ｓ３２０：Ｙｅｓ）、セキュリティシステム制御部４は、人検出センサ２の出力値からメモリ部１１に記録されている周波数成分を差し引く（Ｓ３３０）。これは、人検出センサ２の出力値をセキュリティシステム制御部４が有するフィルタ回路（図示省略）に入力することによって行なわれる。
【００３５】
さらに、セキュリティシステム制御部４は、メモリ部１１の閾値を用いて上述のフィルタリング後の出力値に基づいて（但し、Ｓ３２０でＮｏ判定の場合は、フィルタリングを行なわない人検出センサ２の出力値に基づいて）、車両１付近に接近者１０が存在するかどうかを判定する（Ｓ３４０）。
【００３６】
上記の判定において接近者ありと判定した場合には（Ｓ３４０：Ｙｅｓ）、セキュリティシステム制御部４は、警報制御部５に対して、警告信号発生器８より警告信号を発生させるよう命令信号を出力する（Ｓ３５０）。そして、この命令信号を受信した警報制御部５は、警告信号発生器８より適宜警告信号を発生させる。
【００３７】
これにより、本車両用セキュリティシステムは、実施例１の場合と同様に降雨の状況下であっても接近者１０の接近を確実に検出した上で、警告信号発生器８より警告信号を発生させることよって当該接近者１０に対する警告を行なうことができる。
【００３８】
尚、以上で説明した実施例１及び実施例２の車両用セキュリティシステムにおいては、人検出センサ２は電磁波センサであったが、赤外線センサ、もしくは映像情報を取得することが可能なカメラ（ＣＣＤカメラ等）であってもよい。後者の場合には、当該カメラが撮影した映像に対して所定の画像処理をすることにより、接近者の有無の判定を行なう。
【００３９】
また、実施例１及び実施例２の車両用セキュリティシステムにおいては、接近者１０の存在を検出した場合、警告信号発生器８より警告信号を発生させて警告を行うのみであるが、当該セキュリティシステムに無線通信装置を備えておくことにより、当該検出を無線基地局に報知することとし、これにより基地局経由で車両１のユーザーの携帯電話等に対して当該検出の報知を行ってもよい。このとき、人検出センサ２としてカメラを採用していれば、当該報知に併せてカメラにて撮影した画像を送信することもでき、この場合には本車両用セキュリティシステムはより利便性の高いシステムとなる。
【００４０】
さらに、本発明を応用した車両用セキュリティシステムとしては、レインセンサ６がウィンドウガラス７に付着した雨滴の存在及びその量を検出した場合には、センサ制御部３が人検出センサ２の感度を変更することで付着した雨滴の量に応じた最適なセンサ感度に調整し、当該感度にて人検出センサ２が接近者の検出を行なうこととしてもよい。
【００４１】
尚、以上では本発明を車両用のセキュリティシステムに適用した例を説明した。しかし、本発明の実施形態は車両用のセキュリティシステムに限定されるものではなく、例えばオフィスビルや工場施設用のセキュリティシステムとして、或いは家庭用のホームセキュリティシステムとして実施することもできる。
【図面の簡単な説明】
【００４２】
【図１】車両用セキュリティシステムの構成を表した図である。（実施例１及び実施例２）
【図２】セキュリティシステム制御部が実行する処理を表したフローチャートである。（実施例１）
【図３】セキュリティシステム制御部が実行する処理を表したフローチャートである。（実施例２）
【符号の説明】
【００４３】
１  車両、２  人検出センサ、３  センサ制御部、４  セキュリティシステム制御部、５  警報制御部、６  レインセンサ、７  ウィンドウガラス、８  警告信号発生器、１０  接近者、１１  メモリ部、１３  雨滴
【図１】
2005199846.tif 000003
【図２】
2005199846.tif 000004
【図３】
2005199846.tif 000005